(57)【要約】【課題】  人的負荷を軽減すること。【解決手段】  実施形態によれば、用水管理システムは、水源から取水した水を基幹用水路に流す幹線分水工と、基幹用水路から取水した水を支線を介して下流側の非電動化バルブに流下させる支線分水工と、用水管理装置とを具備する。用水管理装置は、支線分水工および幹線分水工を遠隔制御して、基幹用水路の流量および支線の流量を管理する。また、用水管理装置は、支線分水工の操作開始時刻を設定するための設定部を備え、幹線分水工の操作終了時点から支線分水工の操作開始時刻との間に、非電動化バルブに水圧が加わるまでの猶予期間を設定可能とする。【選択図】  図３
2020089276.tif 000002
【特許請求の範囲】
【請求項１】
水源から取水した水を基幹用水路に流す幹線分水工と、
前記基幹用水路から取水した水を、支線を介して下流側の非電動化バルブに流下させる支線分水工と、
前記支線分水工および前記幹線分水工を遠隔制御して、前記基幹用水路の流量および前記支線の流量を管理する用水管理装置とを具備し、
前記用水管理装置は、
前記支線分水工の操作開始時刻を設定するための設定部を備える、用水管理システム。
【請求項２】
前記設定部は、前記幹線分水工の操作終了時点から前記支線分水工の操作開始時刻までの間に、前記非電動化バルブに水圧が加わるまでの猶予期間を設定可能である、請求項１に記載の用水管理システム。
【請求項３】
それぞれ異なる非電動化バルブに至る複数の支線ごとに設けられる複数の支線分水工がある場合に、
前記設定部は、それぞれの支線分水工の操作開始時刻から設定開度に至るまでの期間が少なくとも２つの支線分水工間で重なることを許可する、請求項１に記載の用水管理システム。
【請求項４】
水源から取水した水を基幹用水路に流す幹線分水工と、前記基幹用水路から取水した水を支線を介して下流側の非電動化バルブに流下させる支線分水工とを有する用水管理設備に適用可能な用水管理装置であって、
前記支線分水工および前記幹線分水工を遠隔制御して、前記基幹用水路の流量および前記支線の流量を管理する管理部と、
前記支線分水工の操作開始時刻を設定するための設定部とを備える、用水管理装置。
【請求項５】
前記設定部は、前記幹線分水工の操作終了時点から前記支線分水工の操作開始時刻までの間に、前記非電動化バルブに水圧が加わるまでの猶予期間を設定可能である、請求項４に記載の用水管理装置。
【請求項６】
それぞれ異なる非電動化バルブに至る複数の支線ごとに設けられる複数の支線分水工を前記用水管理設備が備える場合に、
前記設定部は、それぞれの支線分水工の操作開始時刻から設定開度に至るまでの期間が少なくとも２つの支線分水工間で重なることを許可する、請求項４に記載の用水管理装置。
【請求項７】
水源から取水した水を基幹用水路に流す幹線分水工と、前記基幹用水路から取水した水を支線を介して下流側の非電動化バルブに流下させる支線分水工とを有する用水管理設備に適用可能な用水管理方法であって、
コンピュータが、前記支線分水工および前記幹線分水工を遠隔制御して、前記基幹用水路の流量および前記支線の流量を管理する過程と、
前記コンピュータが、前記支線分水工の操作開始時刻を設定する過程とを具備する、用水管理方法。
【請求項８】
前記コンピュータが、前記幹線分水工の操作終了時点から前記支線分水工の操作開始時刻までの間に、前記非電動化バルブに水圧が加わるまでの猶予期間を設定する過程をさらに具備する、請求項７に記載の用水管理方法。
【請求項９】
それぞれ異なる非電動化バルブに至る複数の支線ごとに設けられる複数の支線分水工を前記用水管理設備が備える場合に、
前記コンピュータは、それぞれの支線分水工の操作開始時刻から設定開度に至るまでの期間が少なくとも２つの支線分水工間で重なることを許可する、請求項７に記載の用水管理方法。
【発明の詳細な説明】
【技術分野】
【０００１】
本発明の実施形態は、用水管理システム、用水管理装置および用水管理方法に関する。
【背景技術】
【０００２】
農業用水を地域に配水する用水管理設備は、営農には重要な設備である。しかし、その多くは老朽化などの課題を抱えている。上水道設備とは異なり、急いで改修することは現状では難しいので、自治体ごとに、あるいは地区ごとに工夫して運用しているのが実情である。
【０００３】
例えば、更新時期の近づいた設備では、管路に設けられた空気弁からの噴水などのトラブルが生じることがある。トラブルを少なくするためには、支線（ブロック）向けに配水するための分水工設備をできるだけ閉じておきたいが、農繁期にはそれが難しい。結局、夜になる前に分水工を閉めておき、朝早くにはまた開けるといった煩雑な運用を強いられる。
【先行技術文献】
【特許文献】
【０００４】
【特許文献１】特開２０００−１３５０３４号公報
【特許文献２】特開２０１７−４２０７１号公報
【特許文献３】実開昭６３−１０３２６０号公報
【発明の概要】
【発明が解決しようとする課題】
【０００５】
既存の用水管理システムでは、用水期間中にほぼ毎日、分水工の開放／閉鎖の操作を行わなくてはならない場合があり、営農従事者の負担が大きかった。また、配管に無理な圧力をかけないためには、バルブを少しずつ開ける必要がある。このため、運用開始時刻から遡って早い時刻に操作を始める必要もあり、操作者が未明（午前４時など）に操作所に行かねばならないこともあった。加えて、支線の末端では非電動化バルブが用いられていることも多く、人力での操作には体力を要する。高齢化に伴ってお年寄りしかいない地域もあり、バルブの開け閉めの負担が大きかった。
【０００６】
そこで、目的は、人的負荷の軽減を図った用水管理システム、用水管理装置および用水管理方法を提供することにある。
【課題を解決するための手段】
【０００７】
実施形態によれば、用水管理システムは、水源から取水した水を基幹用水路に流す幹線分水工と、基幹用水路から取水した水を支線を介して下流側の非電動化バルブに流下させる支線分水工と、用水管理装置とを具備する。用水管理装置は、支線分水工および幹線分水工を遠隔制御して、基幹用水路の流量および支線の流量を管理する。また、用水管理装置は、支線分水工の操作開始時刻を設定するための設定部を備え、幹線分水工の操作終了時点から支線分水工の操作開始時刻との間に、非電動化バルブに水圧が加わるまでの猶予期間を設定可能とする。
【図面の簡単な説明】
【０００８】
【図１】用水管理設備の一例を示す模式図。
【図２】用水管理システム１の一例を示す機能ブロック図。
【図３】用水管理装置１１の一例を示す機能ブロック図。
【図４】ＴＭ／ＴＣ子局装置２１の一例を示す機能ブロック図。
【図５】幹線分水工、支線分水工、および支線分水工の操作タイミングの一例を示すシーケンス図。
【図６】比較のため従来の操作手順の一例を示す図。
【発明を実施するための形態】
【０００９】
用水管理システムは、ダム等の貯水施設や河川などの水源から用水を取水し、基幹用水路への送水を調節する。また、ネットワーク経由で分水工設備を遠隔から監視／制御したり、開度を操作したりする機能も有する。分水工設備には、水源から取水した水を基幹用水路に流す幹線分水工と、基幹用水路から取水した水を、支線を介して下流側に自然流下させる支線分水工とがある。通常、支線の末端には非電動化バルブが設けられていることが多い。
【００１０】
ところで、既存のシステムでは、複数の支線分水工をひとつずつ順に操作することがあった。このため分水工の数に応じて、操作の開始から運用の準備が整うまでの時間が長くなってしまう。  
また、非電動化バルブの開閉は、高齢者には大きな負担となる。支線分水工が開放されていると支線の水の水圧がかかるので、負担はますます大きくなる。以下では、このような事態を解決可能な技術について説明する。
【００１１】
［用水管理設備について］
図１は、用水管理設備の一例を示す模式図である。実施形態に係る用水管理設備は、水源としての主要河川からの水(例えば、農業用水）の取水量を調節する、幹線分水工１００を備える。主要河川から取水された用水は、中央管理所１０による幹線分水工１００への制御に基づいて、２つの基幹用水路（基幹用水路Ｎおよび基幹用水路Ｓ）のうち少なくとも一方へ送水される。
【００１２】
基幹用水路Ｎには、基幹用水路Ｎに送水された用水をさらに分水するための、２つの分水工（分水工Ａ２０ａおよび分水工Ｂ２０ｂ）が設けられる。分水工Ａ２０ａで分水された用水は支線Ａに配水され、非電動化バルブ３０aを介してＡ地区に供給される。分水工Ｂ２０ｂで分水された用水は支線Ｂに配水され、非電動化バルブ３０ｂを介してＢ地区に供給される。
【００１３】
同様に、基幹用水路Ｓに送水された用水をさらに分水するための２つの分水工（分水工Ｃ２０ｃおよび分水工Ｄ２０ｄ）が、基幹用水路Ｓに設けられる。分水工Ｃ２０ｃで分水された用水は支線Ｃに配水され、非電動化バルブ３０ｃを介してＣ地区に供給される。分水工Ｄ２０ｄで分水された用水は支線Ｄに配水され、非電動化バルブ３０ｄを介してＤ地区に供給される。
【００１４】
中央管理所１０は、幹線分水工１００と通信し、主要河川から取水する用水の流量を制御して、基幹用水路Ｓおよび基幹用水路Ｎへそれぞれ送水する用水の流量を調節する。また、中央管理所１０は、分水工Ａ２０ａおよび分水工Ｂ２０ｂと通信し、基幹用水路Ｎからから支線Ａおよび支線Ｂへそれぞれ配水する用水の流量を遠隔から制御する。また中央管理所１０は、分水工Ｃ２０ｃおよび分水工Ｄ２０ｄとも通信し、基幹用水路Ｓから支線Ｃおよび支線Ｄへそれぞれ配水する用水の流量を遠隔から制御する。これにより、各地区への送配水状況が管理される。
【００１５】
なお、中央管理所１０は、用水管理設備内の各地点を流れる用水の流量ではなく、各地点における用水の水位等に基づいて送配水状況を管理しても良い。
【００１６】
［用水管理システムについて］
図２は、実施形態に係る用水管理システム１の一例を示す機能ブロック図である。用水管理システム１は、中央管理所１０、幹線分水工１００、および分水工Ａ２０ａ〜分水工Ｄ２０ｄを含む情報処理システムである。
【００１７】
図２において、中央管理所１０は、用水管理装置１１と、ＴＭ／ＴＣ（テレメータ／テレコントロール）親局装置１３を備える。幹線分水工１００、分水工Ａ２０ａ、分水工Ｂ２０ｂ、分水工Ｃ２０ｃ、および、分水工Ｄ２０ｄは、ＴＭ／ＴＣ子局装置２１、流量調整設備２２、および、センサー２３を備える。用水管理装置１１は、産業用ＰＣ（パーソナルコンピュータ）等の情報処理装置として実現される。ＴＭ／ＴＣ親局装置１３、およびＴＭ／ＴＣ子局装置２１は、例えばＰＬＣ（Programmable Logic Controller）等のコントローラとして実現される。
【００１８】
流量調整設備２２は、ゲート、バルブ、またはポンプの少なくともいずれかを備える。ゲート、バルブ、およびポンプは、用水の流量を調節する。センサー２３は、用水の流量を計測する、流量計または水位計の少なくともいずれかを備える。さらに、センサー２３に異常検知器を備え、各分水工で生じた異常を検知できるようにしてもよい。
【００１９】
中央管理所１０の用水管理装置１１は、各種の情報を処理し、幹線分水工１００、分水工Ａ２０ａ〜分水工Ｄ２０ｄを制御する。これにより、主要河川から取水される水の流量、基幹用水路Ｓおよび基幹用水路Ｎへそれぞれ送水される用水の流量、および、各支線へそれぞれ配水される用水の流量が制御される。
【００２０】
ＴＭ／ＴＣ親局装置１３は、各分水工のＴＭ／ＴＣ子局装置２１と有線、または無線の通信回線を介して通信し、監視信号（ゲートの開度等）や、センサー２３で検知された情報（流量、水位等）を取得する。用水管理装置１１はこれらの情報を処理し、流量調整設備２２を制御するための制御司令（運転指示情報）を生成する。運転指示情報は、ＴＭ／ＴＣ親局装置１３からＴＭ／ＴＣ子局装置２１に伝送される。
【００２１】
ＴＭ／ＴＣ子局装置２１は、中央管理所１０のＴＭ／ＴＣ親局装置１３と通信し、運転指示情報を取得する。ＴＭ／ＴＣ子局装置２１は、取得した運転指示情報に基づいて、流量調整設備２２の駆動状態を変更するための制御信号を生成し、流量調整設備２２に出力する。これにより、各支線を流れる用水の流量が制御される。
【００２２】
流量調整設備２２は、ＴＭ／ＴＣ子局装置２１から入力された制御信号に基づいて、駆動状態を変更（例えば、バルブの開閉状態の変更等）する。
【００２３】
計測部としてのセンサー２３は、各支線に配水された用水の状態（流量や水位など）を計測する。また、センサー２３は、分水工２０の異常を検知する。センサー２３は、計測したデータを含む計測信号、および、異常を検知したことを示す監視信号を、ＴＭ／ＴＣ子局装置２１に出力する。
【００２４】
［用水管理装置について］
図３は、用水管理装置１１の一例を示す機能ブロック図である。図３において、用水管理装置１１は、データ処理部１１０、入出力部１１１、記憶部１１２、表示部１１３、および、操作部１１４を備える。
【００２５】
データ処理部１１０は、例えばＣＰＵ（Central Processing Unit）やＭＰＵ（Micro Processing Unit）などのプロセッサとして実現される。データ処理部１１０は、入出力処理部１１５、記憶処理部１１６、表示処理部１１７、操作処理部１１８、設定部１２０、運転指示処理部１２１、監視処理部１２２、および通知処理部１２３を備える。
【００２６】
入出力部１１１は、データ処理部１１０の入出力処理部１１５による制御のもとで動作し、ＴＭ／ＴＣ親局装置１３と通信するための通信インタフェースである。入出力部１１１は、各分水工のＴＭ／ＴＣ子局装置２１から送信された、センサー２３から出力される情報に基づく計測信号や監視信号を、ＴＭ／ＴＣ親局装置１３を介して取得する。入出力処理部１１５は、入出力部１１１が取得した計測信号や監視信号を表示処理部１１７の画面生成処理部１１７０に出力する。また、入出力部１１１は、運転指示処理部１２１により生成された、流量調整設備２２の駆動状態を変更するための運転指示情報を、ＴＭ／ＴＣ親局装置１３経由でＴＭ／ＴＣ子局装置２１に送信する。
【００２７】
記憶部１１２は、例えばＨＤＤ（Hard Disk Drive）やＳＳＤ（Solid State Drive）、あるいはＲＡＭ（Random Access Memory）、フラッシュメモリ等の記録媒体であり、コンピュータを用水管理装置１１として機能させるためのプログラムや、スケジュール情報などを記憶する。
【００２８】
プログラムは、コンピュータを用水管理装置として機能させるための命令を含む。すなわち、プログラムは、データ処理部１１０を、入出力処理部１１５、記憶処理部１１６、表示処理部１１７、操作処理部１１８、設定部１２０、運転指示処理部１２１、監視処理部１２２、および通知処理部１２３として機能させるための命令を含む。
【００２９】
スケジュール情報は、例えば、各分水工の操作開始時刻、閉操作時刻、時間ごとの開度の設定（例えば、バルブの開度を、１０分おきに１０％→２０％→５０％→１００％と進めるなど）、あるいは設定対象の日付や曜日などを含む。
【００３０】
実施形態では、分水工の開閉のサイクルを一日単位で繰り返すシステムを想定する。主に漏水対策のためで、この種のシステムでは、夜になるとすべての分水工を閉じ、夜明けとともにすべての分水工を開けるといった操作がなされる。特に、分水工を開くときの工程に配慮が求められる。
【００３１】
表示部１１３は、表示処理部１１７の画面生成処理部１１７０によって生成された画面（以下「表示画面」という。）を表示する出力インタフェースである。表示部１１３は、例えば、ＬＣＤ（Liquid Crystal Display：液晶ディスプレイ）等の表示装置を含む。表示部１１３は、データ処理部１１０の表示処理部１１７による制御のもとで動作する。
【００３２】
画面生成処理部１１７０は、表示画面を生成する。ここでいう表示画面とは、用水管理設備内の各地点における用水の流量等の状態を示す監視画面等である。また、画面生成処理部１１７０は、用水管理設備の制御パターンを示す表示画面を生成する。用水管理設備の制御パターンとは、例えば、分水工２０の駆動状態に関する予め定められた複数の駆動パターン（例えば、バルブの開閉パターン）である。画面生成処理部１１７０は、生成された表示画面を示す情報を、表示部１１３へ出力する。
【００３３】
操作部１１４は、ユーザ（例えば、中央管理所１０の操作員）による操作入力を受け付ける入力インタフェースである。操作部１１４は、例えば、キーボード、マウスおよび入力ボタン等の入力デバイスを含む。操作部１１４は、データ処理部１１０の操作処理部１１８による制御のもとで動作する。ユーザの操作入力に基づく情報は、操作処理部１１８へ出力される。なお、表示部１１３および操作部１１４は、入力機能と出力機能とを有する１つの入出力デバイス（例えば、タッチパネル等）によって構成されていてもよい。
【００３４】
操作処理部１１８は、操作部１１４によって入力されたスケジュール情報を設定部１２０へ出力する。  
設定部１２０は、支線分水工（分水工Ａ２０ａ、分水工Ｂ２０ｂ、分水工Ｃ２０ｃ、および分水工Ｄ２０ｄ）のそれぞれの操作開始時刻を、例えば操作処理部１１８を用いたユーザの操作に基づいて、設定する。設定された操作開始時刻になれば、運転指示処理部１２１により、例えばバルブ「開」を指示するための運転指示情報が生成され、指示先の分水工に送信される。
【００３５】
また、設定部１２０は、幹線分水工１００の操作終了時点と、支線分水工（分水工Ａ２０ａ、分水工Ｂ２０ｂ、分水工Ｃ２０ｃ、および分水工Ｄ２０ｄ）のそれぞれの操作開始時刻との間に、その下流側の非電動化バルブに水圧が加わるまでの猶予期間を設定する。
【００３６】
猶予期間とは、例えば、幹線分水工１００の操作開始時刻が午前６：００に設定されたとして、その開度が設定値（例えば１００％）に至ってから支線分水工の操作開始時刻となるまでの期間を意味する。幹線分水工１００が６：３０に設定開度に至ったとして、支線分水工Ａ２０ａの操作開始時刻を７：００に設定すれば、３０分の猶予期間が得られることとなる。この猶予期間においては、基幹用水路Ｎが水でが満たされつつも支線用水路Ａにまで水は流下していない。従って、この状態であれば、非電動化バルブ３０ａを操作するときに水圧による抵抗を感じなくて済むので、操作者の負荷を軽くすることができる。
【００３７】
さらに、設定部１２０は、複数の支線分水工（分水工Ａ２０ａ、分水工Ｂ２０ｂ、分水工Ｃ２０ｃ、および分水工Ｄ２０ｄ）について、それぞれの操作開始時刻からその設定開度に至るまでの期間が、少なくとも２つの支線分水工間で重なることを許可する。要するにいくつかの支線分水工が同時に開操作されることを、設定部１２０により設定できるようにする。
【００３８】
運転指示処理部１２１は、記憶部１１２に記憶されたスケジュール情報に基づいて運転指示情報を生成する。運転指示情報とは、各分水工２０の運用状態（例えば、流量調整設備２２の駆動状態）を変更させるための情報である。運転指示処理部１２１は、生成された運転指示情報を入出力処理部１１５へ出力する。
【００３９】
監視処理部１２２は、各分水工２０に備えられたセンサー２３から出力される情報に基づく計測信号や監視信号を、入出力処理部１１５を介して取得することにより、各分水工の運用状態を監視する。
【００４０】
監視処理部１２２は、監視によって得られた各分水工２０の運用状態を示す情報に基づいて、通知処理を行う必要があるか否かを判定する。例えば、水路を流れる用水の流量の実際値と計画値との差が所定の閾値を超えた場合や、用水管理設備における故障の発生を示す監視信号が検知された場合に、通知処理を行う必要があると判定される。
【００４１】
通知処理部１２３は、監視処理部１２２から、通知対象である分水工２０の運用状態を示す情報を取得する。通知処理部１２３は、取得した情報に基づいて、ユーザに対する通知を示す通知情報を生成し、出力する。
【００４２】
［ＴＭ／ＴＣ子局装置について］
図４は、用水管理システム１のＴＭ／ＴＣ子局装置２１の一例を示す機能ブロック図である。図４に示されるように、ＴＭ／ＴＣ子局装置２１は、データ処理部２１０と、送信部２１１と、取得部２１２と、記憶部２１３とを備える。データ処理部２１０は、例えば、ＣＰＵ等のプロセッサとして実現される。データ処理部２１０は、送信処理部２１４と、取得処理部２１５と、記憶処理部２１６と、駆動制御部２１７とを備える。
【００４３】
送信部２１１は、ＴＭ／ＴＣ親局装置１３および流量調整設備２２とそれぞれ通信し、データを送信するための通信インタフェースである。送信部２１１は、送信処理部２１４による制御のもとで動作する。
【００４４】
送信処理部２１４は、センサー２３から出力される情報（例えば、センサー２３によって計測された、支線水路を流れる用水の流量や水位を示す情報、および、分水工２０における故障の発生を示す情報）に基づく計測信号や監視信号を、取得処理部２１５を介して取得する。送信処理部２１４は、取得した計測信号および監視信号のうち少なくとも一方を、送信部２１１を介してＴＭ／ＴＣ親局装置１３へ送信する。
【００４５】
また、送信処理部２１４は、流量調整設備２２の駆動状態を変更させるための制御情報を、駆動制御部２１７を介して取得する。送信処理部２１４は、取得した制御情報を、送信部２１１を介して流量調整設備２２へ送信する。
【００４６】
取得部２１２は、ＴＭ／ＴＣ親局装置１３およびセンサー２３とそれぞれ通信し、データを受信するための通信インタフェースである。取得部２１２は、取得処理部２１５による制御のもとで動作する。
【００４７】
取得部２１２は、ＴＭ／ＴＣ親局装置１３から送信された運転指示情報を取得する。取得処理部２１５は、取得部２１２が取得した運転指示情報を駆動制御部２１７へ出力する。また、取得部２１２は、センサー２３から出力される情報に基づく計測信号や監視信号を取得する。取得処理部２１５は、取得部２１２が取得した計測信号や監視信号を、送信処理部２１４へ出力する。
【００４８】
記憶部２１３は、例えばＨＤＤ等の磁気ディスク装置、または、例えばＲＡＭやフラッシュメモリ等の半導体記憶装置であり、データ処理部２１０での処理に必要な各種のデータを記憶する。また、記憶部２１３は、例えば、運転指示情報、計測信号および監視信号等のデータを一時的に記憶する。記憶部２１３は、データ処理部２１０の記憶処理部２１６による制御のもとで動作する。
【００４９】
駆動制御部２１７は、取得部２１２が取得した運転指示情報を、取得処理部２１５を介して取得する。駆動制御部２１７は、取得した運転指示情報に基づいて流量調整設備２２の駆動状態を変更させるための制御情報を生成する。駆動制御部２１７は、生成した制御信号を、送信処理部２１４を介して流量調整設備２２へ送信する。これにより、流量調整設備２２の駆動状態が変更され、支線水路を流れる用水の流量が制御される。  
次に、上記構成における作用を説明する。
【００５０】
［実施形態における操作手順について］
図５は、幹線分水工、支線分水工、および支線分水工の操作タイミングの一例を示すシーケンス図である。図５において、幹線分水工が全閉の状態から、運用が開始され、バルブが徐々に開かれる。（１）の時点で設定開度に至ると、幹線分水工の操作が終了する。続いて支線分水工の操作開始時刻（２）が到来し、各支線分水工のバルブが徐々に開けられてゆき、すべてのバルブが設定開度に至ると用水管理設備の開始準備完了となる。
【００５１】
ところで、実施形態では、幹線分水工の操作終了時点（１）から支線分水工の操作開始時刻（２）までに、猶予期間が設定される。この期間内（３）であれば、水圧のかからない状態で非電動化バルブを操作することができる。
【００５２】
以上説明したようにこの実施形態では、支線分水工の操作開始時刻を設定できるようにし、各支線分水工のバルブ操作を、同時に複数行えるようにした。これにより、運用開始準備が完了するまでの時間を短縮することができる。
【００５３】
図６は、比較のため従来の操作手順の一例を示す図である。既存のシステムでは、幹線分水工が開操作されて全開に至ったのちに、複数の支線分水工が一つずつ順に操作されていた。このため運用開始から開始準備が完了するまでに長い時間を要していた。
【００５４】
これに対し実施形態では、運用開始から開始準備が完了するまでの期間を短縮できるので、操作員が運用に携わらなくてはならない時間を短縮できるようになる。ひいては、農繁期における早朝の作業時間を短縮することができ、その意義は大きい。
【００５５】
また実施形態では、図５に示されるように、幹線分水工→非電動化バルブ→支線分水工といった順序で操作を行うことができる。これにより、水圧が掛からない状態で非電動化バルブを操作することができる。図６と比較すると、既存のシステムでは圧力がかかった状態で非電動化バルブを操作せざるを得ないのに比べ、実施形態では、より少ない力で非電動化バルブを操作することができる。よって、非電動化バルブ操作時の負荷を軽減することができるようになる。
【００５６】
これらのことから、人的負荷の軽減を図った用水管理システム、用水管理装置および用水管理方法を提供することが可能となる。
【００５７】
なお、この発明は上記実施形態に限定されるものではない。例えば、図１において、一例として基幹用水路は２つであるとしたが、もちろんこの数に限定されるものではない。また、各基幹用水路に接続する支線はそれぞれ２つであるものとしたが、これも任意の数として良い。
【００５８】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５９】
１…用水管理システム、１０…中央管理所、１１…用水管理装置、１３…ＴＭ／ＴＣ親局装置、２１…ＴＭ／ＴＣ子局装置、２２…流量調整設備、２３…センサー、３０ａ…非電動化バルブ、３０ｂ…非電動化バルブ、３０ｃ…非電動化バルブ、３０ｄ…非電動化バルブ、１００…幹線分水工、１１０…データ処理部、１１１…入出力部、１１２…記憶部、１１３…表示部、１１４…操作部、１１５…入出力処理部、１１６…記憶処理部、１１７…表示処理部、１１８…操作処理部、１２０…設定部、１２１…運転指示処理部、１２２…監視処理部、１２３…通知処理部、２１０…データ処理部、２１１…送信部、２１２…取得部、２１３…記憶部、２１４…送信処理部、２１５…取得処理部、２１６…記憶処理部、２１７…駆動制御部、１１７０…画面生成処理部、２０ａ…支線分水工Ａ、２０ｂ…支線分水工Ｂ、２０ｃ…支線分水工Ｃ、２０ｄ…支線分水工Ｄ。
【図１】
2020089276.tif 000003
【図２】
2020089276.tif 000004
【図３】
2020089276.tif 000005
【図４】
2020089276.tif 000006
【図５】
2020089276.tif 000007
【図６】
2020089276.tif 000008